(57)【特許請求の範囲】
【請求項１】
骨が切断される整形外科処置における工程中に、鋸刃をガイドするために前記骨に対して固定するための切断ブロックであって、
ａ．鋸刃をガイドするための上部表面を有する本体と、
ｂ．前記本体に接続される上板であって、前記上板が前記本体から離間配置された第１の位置と、前記上板の上部表面が前記本体の前記上部表面と連続的であり、かつその延長線上にある第２の位置との間で移動し得る、上板と、を備え、
前記上板は、それから延在し、前記上板に沿って離間配置された、弾性的に変形可能な第１及び第２のアームを有し、前記第１及び第２のアームの各々が、それから横方向に延在するピンを有し、前記本体は、その中に形成され、前記本体の前記上部表面に実質的に垂直に延在する第１及び第２の陥凹を有し、前記上板上の前記第１及び第２のアームは、前記第１及び第２のアーム及び前記第１及び第２の陥凹が、前記第１の位置と前記第２の位置との間での、前記本体に対する前記上板の移動のための経路を画定するように受容され得、
前記第１及び第２の陥凹の各々は、前記本体の壁内に切り込まれた溝によって提供されるプロファイル表面を有し、前記溝の各々が、前記溝内を摺動する前記ピンによって画定される方向で見たときに湾曲しており、前記第１の位置と前記第２の位置との間での、前記本体に対する前記上板の移動中に、前記第１及び第２のアームの各々の前記ピンが前記プロファイル表面に作用し、前記第１及び第２のアームを変形させ、前記第１及び第２のアームの各々の前記変形は、前記上板が前記第１の位置と前記第２の位置との間の中間位置にあるときに、前記上板が前記第１及び第２の位置の各々にあるときよりも大きく、その結果、前記上板は、前記第１の位置か又は前記第２の位置かのいずれかに付勢される、切断ブロック。
【請求項２】
前記第１及び第２の陥凹は、前記本体内のその陥凹内の前記第１及び第２のアームの各々が露出され、使用者が前記第１及び第２のアームに力を加えて、前記第１及び第２のアームを弾性的に変形させ、前記第１の位置と前記第２の位置との間での前記上板の移動を促進することを可能にするように形状付けられている、請求項１に記載の切断ブロック。
【請求項３】
前記本体の前記上部表面が、内部ガイド表面を画定するように構成された隆起したへりと突起対とを含む、請求項１または２に記載の切断ブロック。
【請求項４】
前記上板が、前記隆起したへりを収容するように構成された陥凹と、前記突起対のうちのそれぞれの突起を受容するように構成された開口対とを含む、請求項３に記載の切断ブロック。
【発明の詳細な説明】
【技術分野】
【０００１】
本発明は、外科用器具に関し、具体的には、骨表面処理に使用される鋸及び他の切断ツールのためのガイド表面を含む外科用器具に関する。
【背景技術】
【０００２】
多くの外科用器具は、特に骨表面処理に使用されるときに、患者に対して既知の位置に固定される。１つの例は、切断ブロックである。切断ブロックは典型的には、それらが、インプラントを受容するための骨表面の切断及び切除をガイドし得るような位置で、患者の骨に固定される。
【０００３】
既存の切断ブロックは、外科処置中に切断ツールを正しく位置付け、ガイドするために、切断及び切除に使用される鋸などの切断ツールのためのガイド、陥凹、又は切断溝を含み得る。
【０００４】
既存の切断ブロックでは、切断ブロックは、遠位大腿骨切除などの整形外科処置における工程中に鋸刃をガイドするための上部表面を有する。この切断ブロックもまた、鋸を受容するための切断溝を画定し、また遠位大腿骨切除中にガイドとして使用することもできる上板を含む。これを達成するために、上板は、延在した第１の位置と閉止した第２の位置との間で移動可能である。第１の位置において、上板は、切断溝を画定する。上板が第２の位置にあるとき、上板は、切断ブロックの主要本体と連続的になり、切断ツールをガイドするための上部遠位表面を画定する。外科医は、上部表面か又は切断溝のいずれかを切断ツールのためのガイドとして使用し得る。上部表面か又は切断溝かの選択は、通常は外科医の個人的な好みによるものである。
【０００５】
従来、上板は、切断ブロックの主要本体に対する板の位置を割り出すばね式玉軸受けに対して作用する窪みを有する２つのピンによって、第１及び第２の位置に係止される。
【発明の概要】
【課題を解決するための手段】
【０００６】
本発明の第１の態様によると、骨が切断される整形外科処置における工程中に、鋸刃をガイドするために骨に対して固定するための切断ブロックであって、
ａ．鋸刃をガイドするための上部表面を有する本体と、
ｂ．該本体に接続される上板であって、該上板が該本体から離間配置された第１の位置と、該上板の上部表面が該本体の該上部表面と連続的であり、かつその延長線上にある第２の位置との間で移動し得る、上板と、を備え、
上板は、それから延在し、上板に沿って離間配置された第１及び第２の弾性的に変形可能なアームを有し、本体は、その中に形成され、本体の上部表面に実質的に垂直に延在する第１及び第２の陥凹を有し、上板上の第１及び第２のアームは、アーム及び陥凹が、第１の位置と第２の位置との間での、本体に対する上板の移動のための経路を画定するように受容され得、
陥凹の各々は、プロファイル表面を有し、第１の位置と第２の位置との間での、本体に対する上板の移動中に、それぞれの変形可能なアームがプロファイル表面に作用し、アームを変形させ、アームの各々の変形は、上板が第１の位置と第２の位置との間の中間位置にあるときに、上板が第１及び第２の位置の各々にあるときよりも大きく、その結果、上板は、中間位置から離れて第１及び第２の位置に向かって付勢されている、切断ブロックが提供される。
【０００７】
第１及び第２の位置へのアームの付勢は、上板を第１又は第２の位置のいずれかに係止する。
【０００８】
本特徴を有する切断ブロックの提供は、特に構成要素の数が低減されるため、より容易な製造を提供する。更に、それは最終製品に影響を及ぼし得る付随する熱ひずみを伴う溶接の必要を低減する。本切断ブロックはまた、洗浄がより容易である。
【０００９】
第１及び第２のアームの各々は、それから横方向に延在するピンを有してもよく、またその場合、プロファイル表面はピンによって作用を受ける。
【００１０】
プロファイル表面の各々は、本体の壁内に切り込まれた溝によって提供されてもよい。
【００１１】
アーム上の、また溝内に保持されるピンの提供は、アームが上板から取り外された場合、それらは切断ブロック内に保持され、外れてそれらが周辺組織に突き刺さることがないことを意味する。
【００１２】
溝の各々は、溝内を摺動するピンによって画定される方向で見たときに湾曲していてもよい。
【００１３】
別法として、溝は、Ｖ型構成を有してもよく、又は実質的に直線状であり、溝のいずれかの端部にピンを保持するようにいずれかの端部に窪みを備えてもよい。
【００１４】
更に別法として、溝は、溝のいずれかの端部にピンを保持するための条付きプロファイルを備えてもよい。
【００１５】
陥凹は、本体内のその陥凹内のアームの各々が露出され、使用者がアームに力を加えて、アームを弾性的に変形させ、その第１の位置と第２の位置との間での上板の移動を促進することを可能にするように形状付けられてもよい。
【００１６】
アームは、遠位端部にボタンを備えてもよく、それに対してアームを変形させるために手圧が加えられてもよい。ボタンは、該ボタンを動かすのを助けるような条付き表面を有してもよい。
【００１７】
上部表面は、内部ガイド表面を画定するように構成された隆起したへりと突起対とを有してもよい。
【００１８】
上部表面は、隆起したへりを収容するように構成された陥凹と、突起対のそれぞれの突起を受容するように構成された開口対とを有してもよい。
【００１９】
本発明の別の態様によると、骨が切断される整形外科処置における工程中に、鋸刃をガイドするために骨に対して固定するための切断ブロックであって、
ａ．鋸刃をガイドするための上部表面を有する本体と、
ｂ．該本体に接続される上板であって、該上板が該本体から離間配置された第１の位置と、該上板の上部表面が該本体の該上部表面と連続的であり、かつその延長線上にある第２の位置との間で移動し得る、上板と、を備え、
上板は、それから延在し、上板に沿って離間配置された第１及び第２の弾性的に変形可能なアームを有し、本体は、本体の上部表面に対して概して横方向に、その中に形成された第１及び第２の陥凹を有し、上板上の第１及び第２のアームは、アーム及び陥凹が、第１の位置と第２の位置との間での、本体に対する上板の移動のための経路を画定するように受容され得、
陥凹の各々は、プロファイル表面を有し、第１の位置と第２の位置との間での、本体に対する上板の移動中に、それぞれの変形可能なアームがプロファイル表面に作用し、アームを変形させ、アームの各々の変形は、上板が第１の位置と第２の位置との間の中間位置にあるときに、上板が第１及び第２の位置の各々にあるときよりも大きく、その結果、上板は、中間位置から離れて第１及び第２の位置に向かって付勢されている、切断ブロックが提供される。
【図面の簡単な説明】
【００２０】
以降本発明を、単に例として、以下の添付の図面を参照して説明する。
【図１】本発明の切断ブロックの概略斜視図である。
【図２】図１の切断ブロックの正面図である。
【図３】閉止位置にある上板を示す図に対応する図である。
【図４】図１の切断ブロックの背面図である。
【図５】図２の矢印Ｖの方向の図１の切断ブロックの側面図である。
【図６】図１の切断ブロックの本体の正面図である。
【図７】矢印ＶＩＩの方向の図６の本体の側面図である。
【図８】図１の切断ブロックの上板の正面図である。
【図９】矢印ＩＸの方向の図８の上板の側面図である。
【図１０】図２の矢印Ｘ−Ｘ’の方向で図１の切断ブロックを通る断面である。
【図１１】図２の矢印ＸＩ−ＸＩ’の方向の断面である。
【図１２】大腿骨の遠位端部上の定位置における、図１〜１１の切断ブロックの位置付けを概略的に例証する。
【発明を実施するための形態】
【００２１】
切断ブロック１は、本体２と上板３とを備える。
【００２２】
本体２は、曲線状の前面４と、実質的に平らな背面５と、上部表面６とを備える。
【００２３】
本体２は、主要部分９を、該主要部分９の両側から横方向に延在する２つの側方部分１０、１１と共に含む。側方部分１０、１１は、本体２のそれぞれの側面１７、１８を画定する。
【００２４】
本体２は、主要部分９内の前面４内に提供される複数の間隔を置いた開口対７ａ、７ｂを、背面５内に提供される対応する間隔を置いた開口対８ａ、８ｂと共に有する。間隔を置いた開口対７ａ、７ｂ；８ａ、８ｂは、図１２に例証される通り、また当業者に周知である通り、切断ブロック１と大腿骨４０に固定するために、ピン対３８を受容するために使用される。
【００２５】
本体２の主要部分９は、上部表面６に実質的に直角に延在する、上部面６上の隆起したへり１２を有する。
【００２６】
上部表面６はまた、上部面６から突出した実質的に卵型の隆起した突起対１３、１４も有する。
【００２７】
へり１２と隆起した突起１３、１４とは、遠位大腿骨切除中に鋸又は他の切断ツールをガイドするために使用される内部ガイド表面３９を画定する。
【００２８】
側方部分１０、１１の各々は、その安価に提供される実質的にＵ型の陥凹１５、１６を有する。各Ｕ型陥凹１５、１６は、上部表面６及びそれぞれの側面１７、１８に開口しており、また上部表面６に実質的に垂直に延在するように、上部表面６に対して概して横方向にある。
【００２９】
各側方部分１０、１１は、対向する湾曲した溝対１９ａ、１９ｂ；２０ａ、２０ｂを有し、湾曲した溝１９ａ、１９ｂ；２０ａ、２０ｂの各対の１つの湾曲した溝が、本体２の前面４及び背面５にそれぞれ提供される。各湾曲した溝１９ａ、１９ｂ；２０ａ、２０ｂは、それぞれの陥凹１５、１６内を通って延在する。各溝１９ａ、１９ｂ；２０ａ、２０ｂの端部は、下記に更に詳細に説明される通り、第１の位置と第２の位置との間での上板３の移動を制限するための停止表面を画定する。
【００３０】
上板３は、上側面２１と下側面２２とを有する。上板３は、前端部２３と、後端部２４と、測端部２５、２６とを有し、それらは、上板３の外面形状が本体２の上部面６に実質的に適合するように構成される。
【００３１】
上板３は、本体２の隆起したへり１２を収容するように構成された、前端部２３に沿った陥凹２７を有する。上板３はまた、本体２のそれぞれの突出部１３、１４を受容するように構成された、第１及び第２の実質的に卵型の開口対２８、２９も有する。このようにして、上板３は、上板３が本体２の上部表面６と連続的であり、かつその延長線上にある位置に移動され得る。この位置において、上板３の上側表面２１は、切断ブロック１のための遠位表面３７を画定する。
【００３２】
円形開口３０は、第１の開口２８と第２の開口２９との間で上板３内に提供される。
【００３３】
上板３に沿って離間配置された上板３の下側面２２から測端部２５、２６に向かって、第１及び第２の弾性的に変形可能なアーム３１、３２が直角に延在する。弾性的に変形可能なアーム３１、３２は、下記に更に詳細に説明される通り、アーム３１、３２の手による変形を促進するように機能するボタン３３、３４で終端となる。
【００３４】
第１及び第２のアーム３１、３２の各々から横方向及び反対方向に、ピン対３５ａ、３５ｂ；３６ａ、３６ｂが延在する。
【００３５】
第１及び第２の弾性的に変形可能なアーム３１、３２は、リビングヒンジ接続又は変形を可能にする他の好適な手段によって上板３に接続される。
【００３６】
組み立てられたとき、切断ブロック１は、本体２に係合した上板３を備える。具体的には、第１及び第２の弾性的に変形可能なアーム３１、３２は、それぞれの陥凹１５、１６に受容され、ピン３５ａ、３５ｂ；３６ａ、３６ｂは、対応する溝１９ａ、１９ｂ；２０ａ、２０ｂに受容され、それらに係合される。ピン３５ａ、３５ｂ；３６ａ、３６ｂは、それが係合される溝１９ａ、１９ｂ；２０ａ、２０ｂ内を、それらの長さに沿って摺動するように配置される。
【００３７】
溝１９ａ、１９ｂ；２０ａ、２０ｂは、それぞれの陥凹１５、１６のプロファイル表面を画定し、溝１９ａ、１９ｂ；２０ａ、２０ｂ内でのピン３５ａ、３５ｂ；３６ａ、３６ｂの係合により、弾性的に変形可能なアーム２５、２６は、これらのプロファイル表面に作用する。
【００３８】
弾性的に変形可能なアーム２５、２６と、それらが受容される陥凹１５、１６とは、下記に更に説明される通り、第１の位置と第２の位置との間での、本体２に対する上板３の移動のための経路を画定する。
【００３９】
第１の位置において、上板３は、本体２の上部表面６から離間配置され、ピンは、溝１９ａ、１９ｂ；２０ａ、２０ｂの第１の端部においてそれぞれの溝の中に位置する。これは、図２に例証される。
【００４０】
第２の位置において、上板３は、本体２の上部表面６と連続的であり、かつその延長線上にあり、ピン３５ａ、３５ｂ；３６ａ、３６ｂは、それぞれの溝１９ａ、１９ｂ；２０ａ、２０ｂのもう一方の第２の端部にある。第２の位置では、本体２の隆起したへり１２は、上板３の陥凹２７内に受容され、第１及び第２の実質的に卵型の開口２８、２９は、本体２のそれぞれの突出部１３、１４を受容する。このようにして、上側表面２１は、それぞれの突出部１３、１４及び隆起したへり１２の上部と同一平面となり、遠位表面３７を画定する。これは、図３に例証される。
【００４１】
溝１９ａ、１９ｂ；２０ａ、２０ｂの端部は、第１の位置と第２の位置との間での上板３の移動を制限する停止表面を画定する。
【００４２】
第１の位置と第２の位置との間での、本体２に対する上板３の移動は、ピン３５ａ、３５ｂ；３６ａ、３６ｂが溝１９ａ、１９ｂ；２０ａ、２０ｂによって画定されるプロファイル表面に対して作用するときに弾性的に変形可能なアーム２５、２６を変形させる。
【００４３】
溝１９ａ、１９ｂ；２０ａ、２０ｂは湾曲しているため、アーム２５、２６の各々の変形は、上板３が第１の位置と第２の位置との間の中間位置にあるときに、上板３が第１及び第２の位置の各々にあるときよりも大きい。したがって、上板３は、中間位置から離れて第１及び第２の位置に向かって付勢される。このようにして、上板３は、第１の位置か又は第２の位置かのいずれかに付勢されて、その位置に移動されるときにその位置を保持する。
【００４４】
上板３を第１の位置と第２の位置との間で移動させるために、上板３は、手で握られて、２つの位置の間を移動される。
【００４５】
これは、ボタン３３、３４に手圧を加えることによって、例えば、片手の１本の指と親指とによって更に促進され得、その手圧は、上板３が第１の位置と第２の位置との間を移動するように、アーム２５、２６を互いに向かって内側に変形させ、溝１９ａ、１９ｂ；２０ａ、２０ｂ内でのピン３５ａ、３５ｂ；３６ａ、３６ｂの摺動を促進する。
【００４６】
本発明の切断ブロック１は、膝関節置換手術に使用される。
【００４７】
膝関節置換手術に関する周知の技術に従って、骨表面は、置換人工装具を取り付けるために処理を必要とする。処理を必要とする骨表面の１つは、膝の大腿骨の遠位端部である。本発明の切断ブロックは、遠位大腿骨の切除工程に使用される。
【００４８】
遠位大腿骨切除を行うために、遠位切断ブロック１は、大腿骨の遠位端部上に装着される。
【００４９】
遠位大腿骨切除の前に、大腿骨の前方及び後方部分、特に前方骨皮質及び後方大腿顆が、周知の技術に従って切除される。
【００５０】
次に、切断ブロック１は、遠位大腿骨切除を行うために前方骨皮質の切除された表面上に装着される。遠位切断ブロック１を大腿骨の遠位区分上に装着するために、遠位大腿骨アウトリガが使用される。この例は、ＤｅＰｕｙ  Ｏｒｔｈｏｐａｅｄｉｃｓ  Ｉｎｃｏｒｐｏｒａｔｅｄ製のＬＣＳＩ（登録商標）Ｃｏｍｐｌｅｔｅ（商標）−Ｐ．Ｆ．Ｃ．Ｓｉｇｍａ（商標）ＲＰ  Ｍｏｂｉｌｅ  Ｂｅａｒｉｎｇ  Ｔｏｔａｌ  Ｋｎｅｅ  Ｓｙｓｔｅｍの遠位大腿骨アウトリガである。
【００５１】
遠位切断ブロック１は、上板３の円形開口３０内に保持される取り付け機構（図示せず）によって遠位大腿骨アウトリガに取り付けられる。この取り付け手段は、当業者に周知であり、本明細書において更に詳細に説明する必要はない。
【００５２】
この段階では、遠位切断ブロック１の上板３は第１の位置にあり、上板は、上板３に加えられる手の力によって、また必要に応じてボタン３３、３４に加えられる更なる手圧によって、この位置に移動される。
【００５３】
溝１９ａ、１９ｂ；２０ａ、２０ｂは湾曲しているため、アーム２５、２６の変形は、溝１９ａ、１９ｂ；２０ａ、２０ｂの端部にあるときに最小となり、上板３は、この第１の位置に付勢され、保持される。
【００５４】
遠位大腿骨整列ガイドが、大腿骨の刻み目の中に定置され、その整列ガイドに遠位大腿骨アウトリガが挿入され、その結果、遠位切断ブロック１は、前方骨皮質の切除部分に接し、その上に留まる。遠位切断ブロック１が前方骨皮質上で平らであるとき、切断ブロック１は、周知の外科技術に従って、関連のピン穴７ａ、７ｂ；８ａ、８ｂを通して大腿骨４０の骨に挿入されたピン３８の手段によって、大腿骨上にピンで留められる。遠位大腿骨アウトリガは、遠位大腿骨整列ガイド及び遠位切断ブロック１から除去される。
【００５５】
整列ガイド及びアウトリガは、周知の機器であり、本発明の要素を成さない限り、本明細書において更に詳細に説明する必要はない。膝関節置換手術における整列ガイド及びアウトリガの使用は、例えば、Ｄｅ  Ｐｕｙ  Ｉｎｔｅｒｎａｔｉｏｎａｌによる２０１０年付けの「ＬＣＳ（登録商標）Ｓｕｒｇｉｃａｌ  Ｔｅｃｈｎｉｑｕｅ」製品情報シートに説明される。
【００５６】
遠位大腿骨切除が行われ得る前に、大腿骨と脛骨との間の伸展ギャップを算定する必要がある。
【００５７】
これを行うために、遠位切断ブロック１の上板３を第２の位置に移動する必要がある。ここでも、これは上板３への手圧によって、また必要に応じてボタン３３、３４の使用によって達成される。ここで、切断ブロック１の遠位表面３７は、遠位大腿骨切除のための切断面を表し、また完全に延在されて使用されるときに、伸展ギャップを算定するために使用され得る。
【００５８】
この伸展ギャップは、曲げギャップと等しくなければならず、これは周知の技術に従ってスペーサブロック（図示せず）を使用して行われる。スペーサブロックが平行で、脛骨の切断と整列しており、内側及び側方の組織が等しく引っ張られている場合、遠位切断ブロック１は正しく配置される。
【００５９】
遠位切断ブロック１は、スペーサブロックが伸展ギャップ内に適合するであろうことを確実にするために、より多量又はより少量の遠位大腿骨を切除するために、異なる穴の列７ａ、７ｂ；８ａ、８ｂを使用して位置付けられ得る。遠位切断ブロック１が正しい位置にきた後、遠位大腿骨切除が行われ得る。
【００６０】
切除を行うために、どのガイド表面３７、３９−遠位表面３７か又は内部ガイド表面３９かのいずれか、を外科医が使用するために選択したかに応じて、上板３は第１の位置又は第２の位置にあり得る。ここでも、これは、必要に応じて上板３及びボタン３３、３４に加えられる手圧によって達成される。
【００６１】
切除は、外科医が内部ガイド表面３９を使用している場合、上板３と切断ブロック本体２との間のギャップを通して挿入される鋸刃を使用して実施され、そうでなければ、外科医は大腿骨の切除をガイドするための表面として遠位表面３７を使用する。
【００６２】
切除が行われた後、切断ブロック１は除去され得る。
【００６３】
〔実施の態様〕
（１）  骨が切断される整形外科処置における工程中に、鋸刃をガイドするために前記骨に対して固定するための切断ブロックであって、
ａ．鋸刃をガイドするための上部表面を有する本体と、
ｂ．前記本体に接続される上板であって、前記上板が前記本体から離間配置された第１の位置と、前記上板の上部表面が前記本体の前記上部表面と連続的であり、かつその延長線上にある第２の位置との間で移動し得る、上板と、を備え、
前記上板は、それから延在し、前記上板に沿って離間配置された第１及び第２の弾性的に変形可能なアームを有し、前記本体は、その中に形成され、前記本体の前記上部表面に実質的に垂直に延在する第１及び第２の陥凹を有し、前記上板上の前記第１及び第２のアームは、前記アーム及び前記陥凹が、前記第１の位置と前記第２の位置との間での、前記本体に対する前記上板の移動のための経路を画定するように受容され得、
前記陥凹の各々は、プロファイル表面を有し、前記第１の位置と前記第２の位置との間での、前記本体に対する前記上板の移動中に、前記それぞれの変形可能なアームが前記プロファイル表面に作用し、前記アームを変形させ、前記アームの各々の前記変形は、前記上板が前記第１の位置と前記第２の位置との間の中間位置にあるときに、前記上板が前記第１及び第２の位置の各々にあるときよりも大きく、その結果、前記上板は、前記中間位置から離れて前記第１及び第２の位置に向かって付勢されている、切断ブロック。
（２）  前記第１及び第２のアームの各々が、それから横方向に延在するピンを有し、前記プロファイル表面が、前記ピンによって作用を受ける、実施態様１に記載の切断ブロック。
（３）  前記プロファイル表面の各々が、前記本体の壁内に切り込まれた溝によって提供されている、実施態様２に記載の切断ブロック。
（４）  前記溝の各々が、前記溝内を摺動する前記ピンによって画定される方向で見たときに湾曲している、実施態様３に記載の切断ブロック。
（５）  前記陥凹は、前記本体内のその陥凹内の前記アームの各々が露出され、使用者が前記アームに力を加えて、前記アームを弾性的に変形させ、その第１の位置と第２の位置との間での前記上板を促進することを可能にするように形状付けられている、実施態様１に記載の切断ブロック。
【００６４】
（６）  前記上部表面が、内部ガイド表面を画定するように構成された隆起したへりと突起対とを含む、実施態様１〜５のいずれかに記載の切断ブロック。
（７）  前記上部表面が、前記隆起したへりを収容するように構成された陥凹と、前記突起対のうちのそれぞれの突起を受容するように構成された開口対とを含む、実施態様６に記載の切断ブロック。
【図１】
0006538066.tif 000002
【図２】
0006538066.tif 000003
【図３】
0006538066.tif 000004
【図４】
0006538066.tif 000005
【図５】
0006538066.tif 000006
【図６】
0006538066.tif 000007
【図７】
0006538066.tif 000008
【図８】
0006538066.tif 000009
【図９】
0006538066.tif 000010
【図１０】
0006538066.tif 000011
【図１１】
0006538066.tif 000012
【図１２】
0006538066.tif 000013